(57)【要約】      （修正有） 【課題】軽くて、通気性と弾性がよいベッドパッドを提供する。【解決手段】上表面層１、中間接続層２と下表面層３の三層構造を有し、上表面層は網状構造に構成され、中間接続層は上表面層と下表面層とを接続するための単糸により構成され、下表面層は平織りの底面構造になっている。このような構成により、皮膚が液体やほこりの汚染を受けないように保護し、良好な皮膚通気性を維持し、黴菌や真菌の感染を防止することができる。また、軽量で、洗濯、乾燥や消毒が便利で、帯電防止性能を持ち、反発力がよく、衝撃を緩める効果がある。【選択図】図１
0003182889.tif 000002
【実用新案登録請求の範囲】
【請求項１】
上表面層（1）、中間接続層（2）と下表面層（3）の三層構造を有するサンドイッチ構造のベッドパッドであって、上記上表面層（1）は網状構造に構成され、上記中間接続層（2）は上記上表面層(1)と上記下表面層(3)とを接続するための単糸で構成され、上記下表面層（3）は平織りの底面構造になっていることを特徴とするサンドイッチ構造のベッドパッド。
【請求項２】
上記中間接続層（2）はパイプ状構造或いは皺状構造であることを特徴とするサンドイッチ構造のベッドパッド。
【請求項３】
上記上表面層（1）と下表面層（3）はポリエステル糸で構成されていることを特徴とするサンドイッチ構造のベッドパッド。
【請求項４】
上記上表面層（1）、上記中間接続層（2）と上記下表面層（3）の三層構造の厚さは2mm〜20mmであることを特徴とするサンドイッチ構造のベッドパッド。
【考案の詳細な説明】
【技術分野】
【０００１】
本考案はベッドパッドに関し、具体的に言うと、主に家庭用生活用品として使用し、交通道具や医療衛生保健業界、土木工程、建築業界にも使用できるサンドイッチ構造のベッドパッドに関する。
【背景技術】
【０００２】
ベッドパッドは日常生活用品として、現在たくさんの種類がある。生活レベルの向上に伴って、ベッドパッドに対して、よい通気性が要求され、特に、暑い夏にはよい通気性のベッドパッドが必要になっており、これと共に、快適度の要求を満たすためには、ある程度の弾性力も必要となっている。現在のベットパッドは、普通、内部にバネを設けることで弾性を実現するが、この構造のベッドパッドは、長期間使用すると、そのバネの弾性力がだんだん弱まるため、ユーザーの使用要求を満たすことができない。
【考案の概要】
【考案が解決しようとする課題】
【０００３】
以上の問題に鑑みて、本考案の目的は、軽くて、通気性と弾性がよいサンドイッチ構造のベッドパッドを提供することである。
【課題を解決するための手段】
【０００４】
上記目的を達成するために、本考案によるサンドイッチ構造のベッドパッドは、上表面層、中間接続層と下表面層の三層構造を有し、上表面層は網状構造に構成され、中間接続層は上表面層と下表面層とを接続するための単糸で構成され、下表面層は平織りの底面構造になっている。
【０００５】
また、上記中間接続層はパイプ状構造或いは皺状構造であることが好ましい。
【０００６】
また、上記の上表面層と下表面層はポリエステル糸で構成されることが好ましい。
【０００７】
また、上記の上表面層、中間接続層と下表面層の三層構造の厚さは2mm〜20mmであることが好ましい。
【考案の効果】
【０００８】
このような構成によれば、三層の三次元立体網状構造を使用しているので、それぞれ異なる性能を有する二種類織物を一緒に編み上げて、簡単な構造にすることができ、本考案によれば、以下のような優れた効果を奏する。
【０００９】
1．皮膚が液体やほこりの汚染を受けないように保護し、良好な皮膚通気性を維持し、黴菌や真菌の感染を防止することができる。
2．軽くて、洗濯、乾燥や消毒が便利で、帯電防止性能を持ち、反発力がよく、衝撃を緩める効果がある。
3．化学処理剤や燃料の使用量が少なくて、環境にやさしく、着火点が低い。
4．堅牢度がよく、剥がれることがなく、湿熱快適性がよく、良好な機械性能と化学安定性を有している。
5．無毒で環境にやさしく、湿気やカビに強く、リサイクルできる。
6．医療用紡績品としても使われ、湿気と熱が早く発散でき、耐久性がよく、長期的使用が可能であり、構造が安定で、素材使用範囲が広い。
【図面の簡単な説明】
【００１０】
【図１】本考案に係るサンドイッチ構造のベッドパッドの構造図である。
【考案を実施するための形態】
【００１１】
以下、図面と具体的な実施形態により、本考案に係るサンドイッチ構造のベッドパッドを詳しく説明する。
【００１２】
図１に示すように、本考案によるサンドイッチ構造のベッドパッドは、上表面層1、中間接続層2と下表面層3の三層構造を有し、上表面層1は網状構造に構成され、中間接続層2は上表面層1と下表面層3を接続するための単糸で構成され、下表面層3は平織りの底面構造になっている。中間接続層2はパイプ状構造或いは皺状構造であり、上表面層1と下表面層3はポリエステル糸で構成され、上表面層1、中間接続層2と下表面層3の三層構造の厚さは2mm〜20mmである。
【００１３】
このように、サンドイッチ構造を使うことで、医療用品などに対する、環境にやさしく、耐久性がよく、リサイクル可能という要求を満たすことができる。整形外科、褥瘡防止、手術室、家庭保健、医療付属品、物理治療などに使われる場合にも、上記のすべての基準に達し、ある面では、単層の紡績品、発泡生地や複合生地よりだいぶ優れている。また、サンドイッチ構造の特殊構造を有することで、下記のような特性がある。
【００１４】
頭を捧げる弾力がある。すなわち、「X-90」中空立体、サンドイッチ構造のベッドパッド40個「X」構造/平方センチで人間の頭を捧げ、頭にぴったり型成形する。
背中を捧げる弾力がある。すなわち、40000個「X-90」構造で脊椎を捧げ、サンドイッチ構造のベッドパッドの優れた弾力は、脊椎1ＣＭ湾曲度を捧げ、圧力は百万個の「X」構造を介してパッドの底部まで分散する。
【００１５】
両面は網状であって、通気度がよく、洗濯が簡単で、乾燥が速い。黴菌、カビ、ダニが繁殖しにくい。軽く、柔らかくて、皮膚に優しく、皮膚呼吸ができ、弾力もいいので、病者の危険を引き起こす恐れがある病気の部分に対する圧力を25％以上も下げて、痛みを最低程度まで緩めることができる。このため、寝たきりの病者に適用し、褥瘡の防止及び治療に適用できる。
【００１６】
家庭用ベットパッドとして使われる場合には、以下のような優れたメリットがある。すなわち、通気性が優れて、背中の空気流通がいい。また、熱と湿気がよく分散できるので、黴菌が繁殖しにくい。また、ポリエステル100%を使うので、無毒で環境にやさしく今の生活環境要求を満たすことができる。独特な捧げ構造を有するため、人体の各部分の圧力に応じて相応する反発力性を与え、単糸による全面的な捧げにより、人の体が完全なリラックス状態になって寝る事ができる。
【符号の説明】
【００１７】
1−上表面層；2−中間接続層；3−下表面層。
【図１】
0003182889.tif 000003
【手続補正書】
【提出日】平成25年2月13日(2013.2.13)
【手続補正１】
【補正対象書類名】実用新案登録請求の範囲
【補正対象項目名】全文
【補正方法】変更
【補正の内容】
【実用新案登録請求の範囲】
【請求項１】
上表面層（1）、中間接続層（2）と下表面層（3）の三層構造を有するサンドイッチ構造のベッドパッドであって、上記上表面層（1）は網状構造に構成され、上記中間接続層（2）は上記上表面層(1)と上記下表面層(3)とを接続するための単糸で構成され、上記下表面層（3）は平織りの底面構造になっていることを特徴とするサンドイッチ構造のベッドパッド。
【請求項２】
上記中間接続層（2）はパイプ状構造或いは皺状構造であることを特徴とする請求項１に記載のサンドイッチ構造のベッドパッド。
【請求項３】
上記上表面層（1）と下表面層（3）はポリエステル糸で構成されていることを特徴とする請求項１に記載のサンドイッチ構造のベッドパッド。
【請求項４】
上記上表面層（1）、上記中間接続層（2）と上記下表面層（3）の三層構造の厚さは2mm〜20mmであることを特徴とする請求項１に記載のサンドイッチ構造のベッドパッド。